(57)【要約】【課題】より有用なＮＦＣによる充電システム、モバイル機器、充電器を提案する。【解決手段】第１ＮＦＣアンテナに誘起する電流に基づいて充電される充電池を持つモバイル機器と、電磁誘導を誘起させる第２ＮＦＣアンテナに給電電流を供給する供給部を持つ充電器を有し、第１ＮＦＣアンテナと第２ＮＦＣアンテナに誤った電磁誘導が生じない防護手段を設けた充電システムを提供する。充電器にモバイル機器が所定の状態で近接していない限り給電電流の供給を禁止する。充電器にモバイル機器を案内する専用の案内手段を有する。案内手段はＩＣカード等の近接を阻害する。案内手段が充電器から外されているとき給電電流を禁止する。案内手段は電磁誘導を阻害する異物が発見しやすいよう透明である。案内手段は異物の掃き出し部を有する。誤った電磁誘導が生じる状態では第２ＮＦＣアンテナの移動を禁止する。【選択図】図１
2016226230.tif 000002
【特許請求の範囲】
【請求項１】
第１ＮＦＣアンテナおよび電磁誘導により前記第１ＮＦＣアンテナに誘起する電流に基づいて充電される充電池を有するモバイル機器と、前記第１ＮＦＣアンテナに電磁誘導を誘起させる第２ＮＦＣアンテナ、前記第２ＮＦＣアンテナに電磁誘導のための給電電流を供給する供給部を有する充電器を有するとともに、前記第１ＮＦＣアンテナと前記第２ＮＦＣアンテナに誤った電磁誘導が生じない防護手段を設けたことを特徴とする充電システム。
【請求項２】
前記防護手段は、前記供給部が前記給電電流を供給するのを禁止する禁止手段であることを特徴とする請求項１記載の充電システム。
【請求項３】
前記禁止手段は、前記充電器に前記モバイル機器が所定の状態で近接していることが確認できない限り前記供給部が前記給電電流を供給するのを禁止することを特徴とする請求項２記載の充電システム。
【請求項４】
前記充電器に前記モバイル機器が所定の状態で近接していることを確認する検知手段を有することを特徴とする請求項３記載の充電システム。
【請求項５】
前記充電器に前記モバイル機器が所定の状態で近接するよう案内する案内手段を有することを特徴とする請求項３または４記載の充電システム。
【請求項６】
前記防護手段は、前記充電器に前記モバイル機器が所定の状態で近接するよう案内する案内手段であることを特徴とする請求項１記載の充電システム。
【請求項７】
前記案内手段は、充電を想定しない機器が前記第２ＮＦＣアンテナに近接するのを阻害することを特徴とする請求項６記載の充電システム。
【請求項８】
前記案内手段は前記充電器に対し着脱可能であり、前記案内手段が前記充電器から外されているとき前記供給部が前記給電電流を供給するのを禁止する禁止手段を有することを特徴とする請求項６または７記載の充電システム。
【請求項９】
前記第１ＮＦＣアンテナに対応する位置に前記第２ＮＦＣアンテナを移動させる手段を有する請求項１記載の充電システム。
【請求項１０】
前記誤った電磁誘導が生じることが検知されたとき前記第２ＮＦＣアンテナの移動を禁止する禁止手段を有することを特徴とする請求項９記載の充電システム。
【請求項１１】
モバイル機器のＮＦＣアンテナに電磁誘導を誘起させる給電兼用ＮＦＣアンテナと、前記給電兼用ＮＦＣアンテナに電磁誘導のための給電電流を供給する供給部を有する充電器と、前記給電兼用ＮＦＣアンテナによる誤った電磁誘導が生じない防護手段とを有することを特徴とする充電器。
【請求項１２】
前記防護手段は、前記充電器に前記モバイル機器が所定の状態で近接していることが確認できない限り前記供給部が前記給電電流を供給するの禁止手段であることを特徴とする請求項１１記載の充電器。
【請求項１３】
通信用ＮＦＣアンテナと、前記通信用ＮＦＣアンテナを兼用し前記通信用ＮＦＣアンテナに電磁誘導により誘起する電流に基づいて充電される充電池とを有し、前記電磁誘導のために前記通信用ＮＦＣアンテナを充電器に案内する専用の案内手段と組み合わせられることを特徴とするモバイル機器。
【請求項１４】
前記案内手段は透明であることを特徴とする請求項１３記載のモバイル機器。
【請求項１５】
前記案内手段は異物の掃き出し部を有することを特徴とする請求項１３または１４記載のモバイル機器。
【発明の詳細な説明】
【技術分野】
【０００１】
本発明は、ＮＦＣを利用した充電システム、およびＮＦＣを利用した充電システムにおけるモバイル機器ならびに充電器に関する。
【背景技術】
【０００２】
ＮＦＣ（ＮＥＡＲ  ＦＩＥＬＤ  ＣＯＭＭＵＩＣＡＴＩＯＮ）は、１０センチメートル程度の距離での小電力無線通信技術の国際規格であり、スマートフォンなどの小型携帯端末装置やデジタルカメラに搭載されている。ＮＦＣに関しては種々の活用がなされており、例えば特開２０１５−０７６７６２号公報には、デジタルカメラと携帯電話を近接させることによりまずＮＦＣによる接続を確立し、無線パラメータの交換を行った後、無線ＬＡＮやＢｌｕｅｔｏｏｔｈ（登録商標）等による接続を確立して画像の転送を行うことが記載されている。（特許文献１）一方、例えば特開２０１３−１９１９１３号公報では、ＮＦＣに用いられるアンテナを共用したワイヤレス充電が記載されている。（特許文献２）
【先行技術文献】
【特許文献】
【０００３】
【特許文献１】特開２０１５−０７６７６２号公報
【特許文献２】特開２０１３−１９１９１３号公報
【発明の概要】
【発明が解決しようとする課題】
【０００４】
しかしながら、ＮＦＣによる充電システム、モバイル機器、充電器に関してはさらに検討すべき課題が多い。
【０００５】
本発明の課題は、上記に鑑み、より有用なＮＦＣによる充電システム、モバイル機器、充電器を提案することにある。
【課題を解決するための手段】
【０００６】
上記課題を達成するため、本発明は、第１ＮＦＣアンテナおよび電磁誘導により前記第１ＮＦＣアンテナに誘起する電流に基づいて充電される充電池を有するモバイル機器と、前記第１ＮＦＣアンテナに電磁誘導を誘起させる第２ＮＦＣアンテナ、前記第２ＮＦＣアンテナに電磁誘導のための給電電流を供給する供給部を有する充電器を有するとともに、前記第１ＮＦＣアンテナと前記第２ＮＦＣアンテナに誤った電磁誘導が生じない防護手段を設けたことを特徴とする充電システムを提供する。これによって、例えば充電器の電磁誘導により誤ってＩＣカードが破損することを防止することができる。
【０００７】
具体的な特徴によれば、前記防護手段は、前記供給部が前記給電電流を供給するのを禁止する禁止手段を有する。より具体的な特徴によれば、前記禁止手段は、前記充電器に前記モバイル機器が所定の状態で近接していることが確認できない限り前記供給部が前記給電電流を供給する。他のより具体的な特徴によれば、充電システムは、前記充電器に前記モバイル機器が所定の状態で近接していることを確認する検知手段を有する。
【０００８】
他の具体的な特徴によれば、充電システムは、前記充電器に前記モバイル機器が所定の状態で近接するよう案内する案内手段を有する。より具体的な特徴によれば前記案内手段は、充電を想定しない機器が前記第２ＮＦＣアンテナに近接するのを阻害する。他のより具体的な特徴によれば、前記案内手段は前記充電器に対し着脱可能であり、充電システムは、前記案内手段が前記充電器から外されているとき前記供給部が前記給電電流を供給するのを禁止する禁止手段を有する。
【０００９】
他の具体的な特等によれば、充電システムは、前記第１ＮＦＣアンテナに対応する位置に前記第２ＮＦＣアンテナを移動させる手段を有する。より具体的な特徴によれば、充電システムは、前記誤った電磁誘導が生じることが検知されたとき前記第２ＮＦＣアンテナの移動を禁止する禁止手段を有する。
【００１０】
本発明の他の特徴によれば、モバイル機器のＮＦＣアンテナに電磁誘導を誘起させる給電兼用ＮＦＣアンテナと、前記給電兼用ＮＦＣアンテナに電磁誘導のための給電電流を供給する供給部を有する充電器と、前記給電兼用ＮＦＣアンテナによる誤った電磁誘導が生じない防護手段とを有することを特徴とする充電器が提供される。
【００１１】
本発明の他の特徴によれば、通信用ＮＦＣアンテナと、前記通信用ＮＦＣアンテナを兼用し前記通信用ＮＦＣアンテナに電磁誘導により誘起する電流に基づいて充電される充電池とを有し、前記電磁誘導のために前記通信用ＮＦＣアンテナを充電器に案内する専用の案内手段と組み合わせられることを特徴とするモバイル機器が提供される。具体的な特徴によれば、前記案内手段は電磁誘導を阻害する異物が発見しやすいよう透明となっている。他の具体的な特徴によれば、前記案内手段は異物の掃き出し部を有する。
【発明の効果】
【００１２】
上記のように、本発明によれば、より有用なＮＦＣによる充電システム、モバイル機器、充電器が提供される。
【図面の簡単な説明】
【００１３】
【図１】本発明の実施例１の全体構成を示すブロック図である。（実施例１）
【図２】実施例１における充電／データ転送ステーショの上面図及び正面図である。
【図３】実施例１における充電／データ転送ステーションに異種のデジタルカメラが載置された場合の上面図である。
【図４】実施例１における充電／データ転送ステーションデジタルカメラが充電を目的とせず載置された場合の上面図である。
【図５】実施例１における充電／データ転送ステーション４にＩＣカードが載置された場合を説明する上面図である。
【図６】実施例１におけるパソコン制御部の動作を説明する基本フローチャートである。
【図７】本発明の実施例２の全体構成を示すブロック図である。（実施例２）
【図８】本発明の実施例３の全体構成を示すブロック図である。（実施例３）
【図９】実施例３の斜視図である。
【図１０】実施例３における充電／データ転送ステーションを異種デジタルカメラとともに示した斜視図である。
【図１１】実施例３とＩＣカードの関係を説明する斜視図である
【図１２】実施例３におけるパソコン制御部の動作を説明する基本フローチャートである。
【図１３】本発明の実施例４の斜視図である。（実施例４）
【図１４】実施例４におけるＩＣカード幅よりも広い切り欠き孔を有するアダプタの側断面図である。
【図１５】本発明の実施例５の斜視図である（実施例５）
【発明を実施するための形態】
【実施例１】
【００１４】
図１は、本発明の実施の形態に係る充電システムにおける実施例１の全体構成を示すブロック図である。図1の充電システムは、デジタルカメラ２、充電器となる充電／データ転送ステーション４、およびパソコン６、を含み、パソコン６にＵＳＢケーブル８で接続された充電／データ転送ステーション４からＮＦＣにより充電対象であるデジタルカメラ２を充電する。なお、図１には、充電／データ転送ステーション４との間でＮＦＣによる通信が可能なＩＣカードを図示している。充電システムとの関係は後述する。
【００１５】
充電対象のデジタルカメラ２は、カメラ制御部１２により制御されるカメラ機能部１４およびカメラ記憶部を有する。カメラ機能部１４は光学系、撮像部、画像処理部、表示部、操作部などデジタルカメラの機能をまとめたものである。また、カメラ記憶部１６は、カメラ制御部１２の機能に必要なプログラム、データなどを記憶するとともに、カメラ機能部１４により得られた画像データを記憶する。電源部１８は、充電方式の電池（以下、充電池２０）を有するとともに、デジタルカメラ各部に給電する。
【００１６】
デジタルカメラ２は、デジタルカメラ短距離通信アンテナ２２を有し、制御部１２の制御により充電／データ転送ステーション４と通信する。なお、デジタルカメラ短距離通信アンテナ２２は、他の機器（例えばパソコン６と直接）とも通信することができる。本明細書では、「短距離通信」という用語は、無線ＬＡＮやＢｌｕｅｔｏｏｔｈ（登録商標）等による数１０メートル程度の短距離内における通信を意味することとする。このような短距離通信における通信圏内には複数の通信可能な機器が存在する可能性がある。
【００１７】
デジタルカメラ２は、また、その底面に配置されたデジタルカメラＮＦＣアンテナ２４を有し、制御部１２の制御により充電／データ転送ステーション４と通信する。デジタルカメラＮＦＣアンテナ２４は、扁平なアンテナコイルである。また、デジタルカメラＮＦＣアンテナ２４は、１０センチメートル程度の距離を通信圏とするので、通信圏内に入るのはデジタルカメラ２に近接する単一の機器である。デジタルカメラＮＦＣアンテナ２４はこのように本来通信アンテナであり、例えば、デジタルカメラＮＦＣアンテナ２４の通信圏内に単一の機器が入ることによりまずその特定の機器と通信を確立し、その後、その特定の機器との間でデジタルカメラ短距離通信アンテナ２２により大容量の画像データのやり取りをする等の機能を担う。
【００１８】
実施例１では、上記のようなジタルカメラＮＦＣアンテナ２４を無接点充電に兼用する。つまり、近接する給電用の外部機器による電磁場変化でデジタルカメラＮＦＣアンテナ２４に誘起される電流で充電池２０を充電するようにする。なお、充電池２０は通常の充電端子２６によっても有接点で外部から充電できる。
【００１９】
充電／データ転送ステーション４は、デジタルカメラ２におけるデジタルカメラＮＦＣアンテナ２４が配置された面が接する充電面を有し、この充電面の下で移動式ＮＦＣアンテナ／ＩＣ２８が移動する。これによって、異種のデジタルカメラにおいてデジタルカメラＮＦＣアンテナ２４が配置される位置が異なっていても移動式ＮＦＣアンテナ／ＩＣ２８をデジタルカメラＮＦＣアンテナ２４に対応する位置に移動させ、効率的に充電を行うことができる。移動式ＮＦＣアンテナ／ＩＣ２８におけるＮＦＣアンテナも扁平なアンテナコイルであり、デジタルカメラＮＦＣアンテナ２４に対応する位置に移動させられたとき両者の扁平なアンテナコイルは平行に近接し、良好な電磁誘導が実現する。上記の位置合わせの目的のため、アンテナ制御部３０は移動式ＮＦＣアンテナ／ＩＣ２８の電流をモニタし、これに基づいてアンテナ駆動機構３２を制御する。アンテナ駆動機構３２は後述のようにＸ−Ｙの二次元方向に移動式ＮＦＣアンテナ／ＩＣ２８を移動させることができる。
【００２０】
充電制御部３４は、パソコン６からの給電に基づく電源部３６からの電力により、上記のような移動式ＮＦＣアンテナ／ＩＣ２８に電磁誘導のための給電電流を供給する。なお、充電制御部３４は、デジタルカメラ２が充電用正規位置にないと判断されるとき、または充電用正規位置にあるのが電磁場発生で破損する恐れのあるＩＣカード１０であると判断されるとき、電磁誘導のための給電電流供給を禁止する。近接センサ３８は、この目的のため、充電／データ転送ステーション４の充電面にある機器が充電用正規位置にあるかどうか、また、機器が充電用正規位置に置かれたとしてもそれがＩＣカード１０でないかどうかを検知する。その詳細は後述する。
【００２１】
上記のようにして、デジタルカメラ２が充電用正規位置にないと判断されるとき、または充電用正規位置にあるのがＩＣカード１０であると判断されるとき、移動式ＮＦＣアンテナ／ＩＣ２８はこれらの機器と本来の通信を行う。なお、移動式ＮＦＣアンテナ／ＩＣ２８がデジタルカメラＮＦＣアンテナ２４に対応する位置になくても通信は可能なので、給電電流供給を禁止するときは移動式ＮＦＣアンテナ／ＩＣ２８を移動させない。
【００２２】
充電／データ転送ステーション４における短距離通信アンテナ／ＩＣ４０は、デジタルカメラ短距離通信アンテナ２２との間で大容量の画像データのやり取りをする。また、充電／データ転送ステーション４における表示部４２は、充電の有無、開始、完了ならびにデータ転送の有無、開始、完了等を表示する。
【００２３】
ＩＣカード１０には、パソコン６との間の認証やデータ通信等のためのカード機能部４４および、移動式ＮＦＣアンテナ／ＩＣ２８または他のデータリーダ／ライタとの間でデータやり取りを行うカードＮＦＣアンテナ４６を有する。
【００２４】
パソコン６は、上記のような充電／データ転送ステーション４の機能の制御のためのパソコン制御部４８を有する。パソコン記憶部５０は、パソコン制御部５０の機能に必要なプログラム、データなどを記憶するとともに、デジタルカメラから転送された画像データ等を記憶する。電源部５２は、充電／データ転送ステーション４の電源部３６に給電する。ＵＳＢケーブル８は、上記のようなパソコン制御部４８による充電／データ転送ステーション４の機能の制御のための制御情報のやり取り、および充電／データ転送ステーション４の電源部３６への給電のため、充電／データ転送ステーション４とパソコン６を接続する。なお、図１に図示された接続ラインは各構成要素の関連を模式的に示したものであり、実際のＵＳＢケーブルの構造を示すものではない。充電／データ転送ステーション４とパソコン６との間の実際の制御信号および電力は通常のＵＳＢケーブルの規格に従ったケーブル構造によって行われる。
【００２５】
図２は、図１の実施例１における充電／データ転送ステーション４の上面図及び正面図で、図１と同じ部分には同じ番号を付す。図２（Ａ）は上面図であり、充電／データ転送ステーション４の充電面４ａにデジタルカメラ２（一点鎖線）が載置されている状態を示す。デジタルカメラ２はその底面形状が図示されている。充電面４ａには充電用正規位置のためのＬ字型の位置決めストッパー５４が設けられており、図２（Ａ）の状態ではデジタルカメラ２が位置決めストッパー５４に押し当てられた充電用正規位置で充電／データ転送ステーション４に載置されている。近接センサ３８は、図２（Ａ）に示すように正規位置検知用センサ３８ａ、カード検知用センサ３８ｂおよび誤方向検知センサ３８ｃからなり、それぞれ光学式近接センサで構成される。
【００２６】
図２（Ａ）のようにデジタルカメラ２が位置決めストッパー５４に押し当てられた充電用正規位置にあると、デジタルカメラ２の底面が正規位置検知用センサ３８ａおよび誤方向検知センサ３８ｃを覆うので、その出力により充電用正規位置へのセットが検知できる。一方、カード検知用センサ３８ｂは通常面積のデジタルカメラ底面には覆われない位置にあるので、セットされているのがデジタルカメラであることが確認される。このようにして正規位置検知用センサ３８ａ、カード検知用センサ３８ｂおよび誤方向検知センサ３８ｃの出力の組み合わせによりデジタルカメラが充電用正規位置にセットされていることが検知される。
【００２７】
なお、図２（Ａ）においてデジタルカメラ２が９０度回転させた状態で位置決めストッパー５４に押し当てられた場合、デジタルカメラ２の底面は正規位置検知用センサ３８ａおよびカード検知用センサ３８ｂを覆い、誤方向検知センサ３８ｃを覆わない状態となる。この場合は、表示部４２において「カメラを９０度回転させてストッパーに押し当ててください」等のメッセージを表示し、これに従って充電用正規位置へのセットが行われるまでは、充電のための機能をスタートさせない。
【００２８】
次に、移動式ＮＦＣアンテナ／ＩＣ２８をデジタルカメラＮＦＣアンテナ２４に対応する位置まで移動させるためのアンテナ駆動機構３２について説明する。アンテナ駆動機構３２は、図２（Ａ）のようにＸ方向の固定レール３８ａ、この固定レール３８ａ上を図２（Ａ）紙面で左右方向に平行移動するＹ方向の可動レール３８ｂ、およびこの可動レール３８ｂの上を図２（Ａ）紙面で左右方向に平行移動する遊動子３２ｃを有する。なお、煩雑のため図示を省略しているが、固定レール３８ａに対して可動レール３８ｂを動かす駆動源、および可動レール３８ｂに対して遊動子３２ｃを動かす駆動源がそれぞれ可動レール３８ｂおよび遊動子３２ｃに設けられている。これらの駆動源は例えばマイクロモータである。移動式ＮＦＣアンテナ／ＩＣ２８は遊動子３２ｃに搭載されているので充電面４ａに平行に自由に二次元移動が可能であり、移動式ＮＦＣアンテナ／ＩＣ２８とデジタルカメラＮＦＣアンテナ２４の相対関係を検知するアンテナ制御部３０の出力に基づき移動式ＮＦＣアンテナ／ＩＣ２８をデジタルカメラＮＦＣアンテナ２４に対応する位置で静止させることができる。
【００２９】
なお、正規位置検知用センサ３８ａ、カード検知用センサ３８ｂおよび誤方向検知センサ３８ｃの出力の組み合わせによりデジタルカメラが充電用正規位置にセットされていることが検知されると、無駄な移動を避けるため、移動式ＮＦＣアンテナ／ＩＣ２８は、通信用位置から充電用初期位置までまず移動させられる。ここで通信用位置とは、例えば、充電面４ａの中央であり、充電用初期位置とは、例えば、種々のデジタルカメラにおけるデジタルカメラＮＦＣアンテナ２４の平均的な位置である。
【００３０】
図２（Ｂ）は、充電／データ転送ステーション４の正面図であり、デジタルカメラ２と
位置決めストッパー５４の関係、デジタルカメラ２およびデジタル充電／データ転送ステーション４の内部構造の上下方向の位置関係が明らかである。また、固定レール３８ａにまたがって可動レール３８ｂが図２（Ｂ）紙面で左右方向に平行移動すること、また、可動レール３８ｂにまたがって遊動子３２ｃが図２（Ｂ）紙面に垂直な方向に平行移動することが明らかである。
【００３１】
図３は、図１の実施例１における充電／データ転送ステーション４の上面図であり、異種のデジタルカメラが充電／データ転送ステーション４に載置された場合について説明している。図２と同じ構成に同じ番号を付し、必要のない限り説明を省略する。図３（Ａ）は、図２（Ａ）と基本的に同じものであるが、移動式ＮＦＣアンテナ／ＩＣ２８が充電用初期位置まで移動させられた状態を示す。移動式ＮＦＣアンテナ／ＩＣ２８は、図２（Ａ）に示す充電用初期位置からさらに矢印５６で示すようにデジタルカメラＮＦＣアンテナ２４に対応する位置まで移動させられる。なお、簡単のため、この移動を行うためのアンテナ駆動機構３２の図示は省略している。
【００３２】
図３（Ｂ）は、異種のデジタルカメラ５８が充電／データ転送ステーション４に載置された場合を示す。この異種のデジタルカメラ５８は外形寸法が異なるとともにデジタルカメラＮＦＣアンテナ６０の配置も異なっている。しかしながら、図３（Ａ）と同様にして、正規位置検知用センサ３８ａおよび誤方向検知センサ３８ｃがデジタルカメラ５８の底面で覆われるとともにカード検知用センサ３８ｂが覆われていないので、セットされているのがデジタルカメラであることが確認され、電磁誘導のための給電電流供給が行われる。また、移動式ＮＦＣアンテナ／ＩＣ２８は、図３（Ａ）と同様にして、充電用初期位置から矢印６２で示すようにデジタルカメラＮＦＣアンテナ６０に対応する位置まで移動させられる。
【００３３】
図４は、図１の実施例１における充電／データ転送ステーション４の上面図であり、デジタルカメラ２が充電を目的とせずに充電／データ転送ステーション４に載置された場合について説明している。図２と同じ構成に同じ番号を付し、必要のない限り説明を省略する。図４（Ａ）は、図２（Ａ）と基本的に同じものであるが、デジタルカメラ２が、位置決めストッパー５４に押し当てられていない。この結果、正規位置検知用センサ３８ａ、カード検知用センサ３８ｂおよび誤方向検知センサ３８ｃがデジタルカメラ２の底面で覆われない。このような状態では、正規位置検知用センサ３８ａ、カード検知用センサ３８ｂおよび誤方向検知センサ３８ｃの出力の組み合わせにより、充電／データ転送ステーション４に載置された機器が充電を目標とするものではないと判断される。この結果、移動式ＮＦＣアンテナ／ＩＣ２８は、載置された機器にかかわらず同じ通信用位置に留め置かれるとともに、電磁誘導のための給電電流供給が禁止される。そしてＮＦＣによるデータ転送のみが行われる。
【００３４】
図４（Ｂ）もデジタルカメラ２が位置決めストッパー５４に押し当てられていない状態であるが、図４（Ａ）とは異なる向きで充電／データ転送ステーション４に載置されている。  図４（Ｂ）の場合は、正規位置検知用センサ３８ａがデジタルカメラ２に覆われず、カード検知用センサ３８ｂおよび誤方向検知センサ３８ｃがデジタルカメラ２に覆われている。このような状態でも、正規位置検知用センサ３８ａ、カード検知用センサ３８ｂおよび誤方向検知センサ３８ｃの出力の組み合わせにより、充電／データ転送ステーション４に載置された機器が充電を目標とするものではないと判断される。この結果、図４（Ａ）と同様にして、移動式ＮＦＣアンテナ／ＩＣ２８は通信用位置に留め置かれるとともに、電磁誘導のための給電電流供給が禁止される。そしてＮＦＣによるデータ転送のみが行われる。
【００３５】
図４から明らかなように、正規位置検知用センサ３８ａが覆われない限り、充電／データ転送ステーション４に載置された機器が充電を目標とするものではないと判断され、移動式ＮＦＣアンテナ／ＩＣ２８は、載置された機器にかかわらず同じ通信用位置に留め置かれるとともに、電磁誘導のための給電電流供給が禁止される。そしてＮＦＣによるデータ転送のみが行われる。このように、データ転送を目的とする限り、デジタルカメラを充電／データ転送ステーション４に載置する位置および方向はフリーである。ＮＦＣによるデータ転送に関しては、機器が充電／データ転送ステーション４に載置される限り、通信用位置に留め置かれ移動式ＮＦＣアンテナ／ＩＣ２８の通信圏内にあるので、機器の検知および情報交換は可能であり、移動式ＮＦＣアンテナ／ＩＣ２８を移動させず充電／データ転送ステーション４の中央に留め置くのが合理的である。
【００３６】
図５は、図１の実施例１における充電／データ転送ステーション４の上面図であり、ＩＣカードが誤って位置決めストッパー５４に押し当てられた状態で充電／データ転送ステーション４に載置された場合について説明している。図２と同じ構成に同じ番号を付し、必要のない限り説明を省略する。図５（Ａ）は、図３（Ａ）と同じものである。
【００３７】
これに対し、図５（Ｂ）は、ＩＣカード１０が位置決めストッパー５４に押し当てられた状態で充電／データ転送ステーション４に載置さている。この場合、正規位置検知用センサ３８ａおよび誤方向検知センサ３８ｃがＩＣカード１０に覆われてしまうが、ＩＣカードは幅が広いので同時にカード検知用センサ３８ｂを覆う。従って、正規位置検知用センサ３８ａ、カード検知用センサ３８ｂおよび誤方向検知センサ３８ｃの出力の組み合わせにより、充電／データ転送ステーション４に載置された機器がＩＣカード１０であると判断される。この結果、図４（Ａ）等と同様にして、移動式ＮＦＣアンテナ／ＩＣ２８は通信用位置に留め置かれるとともに、電磁誘導のための給電電流供給が禁止される。そしてＮＦＣによるデータ転送のみが行われる。カードＮＦＣアンテナ４６は通信用位置に留め置かれた移動式ＮＦＣアンテナ／ＩＣ２８の通信圏内にあるので、ＩＣカードの検知および情報交換は可能である。なお、ＩＣカードが図４のような状態に置かれた場合も同様の結果となる
【００３８】
図６は、上記実施例１におけるパソコン制御部４８の動作を説明する基本フローチャートである。なお、パソコン６は種々の機能を実行するが、図６のフローは充電／データ転送ステーション４に載置される機器に関する充電と通信に関する部分だけを抽出したものである。従って、実際のパソコン６のフローは図示されていない種々の機能を達成する。図６のフローは、パソコン電源部５２の電源が投入されることによりスタートし、ステップＳ２で立上処理を行ってステップＳ４に移行する。
【００３９】
ステップＳ４では、移動式ＮＦＣアンテナ／ＩＣ２８を通信用位置にセットし、ステップＳ６に進んで、移動式ＮＦＣアンテナ／ＩＣ２８の通信圏内に他の機器があるか否かチェックする。該当機器があればステップＳ８に進み、該当機器とのＮＦＣ通信が確立したか否かチェックする。そして通信が確立すればステップＳ１０に進み、所定のＮＦＣ通信ができたか否かおよびＮＦＣ通信による認証によって短距離通信に進むべき対象機種である旨の認証ができたか否かをチェックし、所定のＮＦＣ通信および上記の認証ができればステップＳ１２に進む。ステップＳ１２では、認証した該当機器との間の短距離通信が確立したか否かチェックし、確立していればステップＳＳ１４に進んで所定の短距離通信（例えば画像データ転送）を開始する処理を行ってステップＳ１６に移行する。
【００４０】
一方、ステップＳ８において該当機器とのＮＦＣ通信の確立ができないとき、またはステップＳ１０において所定のＮＦＣ通信およびＮＦＣ通信による該当機器の認証ができないとき、またはステップＳ１２において認証した該当機器との間の短距離通信の確立が確認できないときは、いずれも、直ちにステップＳ１６に移行する。なお、ステップＳ１２から直接ステップＳ１６に移行した場合は、所定のＮＦＣ通信またはＮＦＣ通信機器としての認証は行われている。
【００４１】
ステップＳ１６では、ＮＦＣ通信が確立した機器が充電用正規位置にあるか否かが近接センサ３８の出力により判断される。機器が充電用正規位置にあればステップＳ１８に進み、ＮＦＣ通信によって、その機器が充電可能機器か否かチェックする。そして、充電可能機器であれば、移動式ＮＦＣアンテナ／ＩＣ２８をまず通信用位置から充電用初期位置まで移動させ、次いで、アンテナ制御部の情報に基づき、充電のための最適位置（移動式ＮＦＣアンテナ／ＩＣ２８がデジタルカメラＮＦＣアンテナ２４に対応する位置にあってもっとも強い電磁誘導が得られる状態）のサーチを開始する。このサーチはトライアルアンドエラーによる。
【００４２】
ステップＳ２２では、充電最適位置が確定したか否かチェックし、確定するまでトライアルエラーを繰り返す。ステップＳ２２で充電最適位置が確定するとステップＳ２４に移行し、充電制御部３４から移動式ＮＦＣアンテナ／ＩＣ２８に電磁誘導のための給電電流を供給開始する処理を行ってステップＳ２６に移行する。
【００４３】
ステップＳ２６では、充電が完了したか否かチェックし、充電するまでステップＳ２６を繰り返す。なお、この繰り返しの間において何らかのタスクが発生すれば、随時割り込みがかかり、ステップＳ２２の繰り返しから抜けてそのタスクを実行するとともに、他にタスクがなくなればステップＳ２６に戻る。そしてステップＳ２６で充電完了が確認されるとステップＳ２８に移行する。実際には、パソコン制御部４８の全体フローの中で定期的にステップＳ２２のチェックを入れ、充電完了でなければ全体フローを継続するとともに、充電完了が確認されるとステップＳ２８に移行することになる。
【００４４】
ステップＳ２８では、移動式ＮＦＣアンテナ／ＩＣ２８を通信用位置に戻し、ステップＳ３０に進む。なお、ステップＳ１６で機器が充電用正規位置にあることが確認されないとき、またはステップＳ１８で機器が充電可能機器であることが確認されないときは直ちにステップＳ３０に移行する。これによって、機器が充電用正規位置にあることが確認されないときは、電磁誘導のための給電電流供給が禁止される。
【００４５】
ステップＳ３０では、ＮＦＣ通信または短距離通信による通信中か否かチェックする。そして通信中であればステップＳ１６に戻り、以下ステップＳ３０で通信中でなくなったことが確認されるまでステップＳ１６からステップＳ３０を繰り返す。これは、当初充電を意図せずに充電／データ転送ステーション４に載置された機器がユーザの意思により充電用正規位置にセットしなおされたとき充電処理に入るためである。
【００４６】
ステップＳ３０で通信中でないことが確認されるとステップＳ３２に移行する。なお、ステップＳ６でＮＦＣ圏内に機器がないとき（すなわち、機器が充電／データ転送ステーション４に載置されていないとき）は、直ちにステップＳ３２に移行する。ステップＳ３２では、パソコン６に電源が供給中であるか否かチェックする。電源供給中であれば、ステップＳ４に戻り、以下ステップＳ３２で電源供給がなくなることが確認されない限り、ステップＳ２からステップＳ３２を繰り返し、新たに機器が充電／データ転送ステーション４に載置されるのに対応すべく待機する。一方、ステップＳ３２で電源供給がなくなることが確認されるとフローを終了する。
【実施例２】
【００４７】
図７は、本発明の実施の形態に係る充電システムにおける実施例２の全体構成を示すブロック図である。実施例２は、実施例１と共通するところが多いので、対応する部分には同じ番号を付し、必要のない限り説明を省略する。図７に示す実施例２が図１に示す実施例１と異なるのは、充電／データ転送ステーション１０４自身がステーション制御部１４８およびＡＣアダプタ１５３からの給電に基づくステーション電源部１５２を持つ点である。従って、実施例１におけるパソコン製著部４８の機能は、実施例２ではステーション制御部１４８が担当する。換言すれば、図６で説明したフローは実施例２ではステーション制御部１４５が実行する。
【００４８】
また、図７の実施例２では、充電／データ転送ステーション１０４とパソコン１０６との間の画像データ転送等の通信は、充電／データ転送ステーション１０４の短距離通信アンテナ／ＩＣ４０とパソコン１０６の短距離通信アンテナ１４０による短距離通信によって行われる。また、デジタルカメラ２とパソコン１０６の間の画像データ通信は、デジタルカメラ２の認証が充電／データ転送ステーション１０４のＮＦＣ通信で行われた後、デジタルカメラ短距離通信アンテナ２２とパソコン１０６の短距離通信アンテナ１４０との間で直接行ってもよい。
【実施例３】
【００４９】
図８は、本発明の実施の形態に係る充電システムにおける実施例３の全体構成を示すブロック図である。実施例３は、実施例１と共通するところが多いので、対応する部分には同じ番号を付し、必要のない限り説明を省略する。図８に示す実施例２が図１に示す実施例１と異なるのは、異種のデジタルカメラにおいてデジタルカメラＮＦＣアンテナが配置される位置が互いに異なっていることへの対策、およびＩＣカード１０が電磁場発生で破損する恐れのあることへの対策を、充電／データ転送ステーション２０４へのアダプタの提供、およびアダプタ取付／挿入検知部２３８の設置によって行うようにした点である。
【００５０】
具体的には、図８の実施例３では、デジタルカメラ毎に専用のアダプタを交換可能にそれぞれ用意し、このアダプタによって、いずれのデジタルカメラでも、そのデジタルカメラＮＦＣアンテナが常に固定式ＮＦＣアンテナ／ＩＣに対応する位置に来るよう誘導する。これによって、実施例３の充電／データ転送ステーション２０４では、固定式ＮＦＣアンテナ／ＩＣ２２８を採用しており、実施例１におけるようなアンテナ駆動機構およびその制御部は不要である。さらに、後述のようにアダプタは、その形状によってＩＣカード１０のカードＮＦＣアンテナ４６が電磁場発生の大きい部位に近づかないようにする。アダプタの詳細は後述する。また、図８の実施例３におけるパソコン制御部２４８は、アダプタ取付／挿入検知部２３８の検知出力を受け、上記のようなアダプタが取り付けられておらずＩＣカード１０が接近する可能性があるとき固定式ＮＦＣアンテナ／ＩＣ２２８に対する電磁誘導のための給電電流供給を禁止する。また、パソコン制御部２４８は、アダプタ取付／挿入検知部２３８の検知出力を受け、アダプタが取付けられた充電／データ転送ステーション２０４にデジタルカメラが挿入されると、固定式ＮＦＣアンテナ／ＩＣ２２８に対する電磁誘導のための給電電流の供給を行う。
【００５１】
図９は、実施例３における充電／データ転送ステーション２０４、デジタルカメラ２０２およびデジタルカメラ２０２専用のアダプタ２５４の斜視図である。図９（Ａ）は、充電／データ転送ステーション２０４からアダプタ２５４が取り外されている状態を示す。アダプタ２５４には、デジタルカメラ２０２がちょうど嵌まり込む大きさの貫通孔２４５ａが設けられている。また、アダプタ２５４は、貫通孔２４５ａ内に電磁誘導を阻害するような異物が入っていないか確認できるよう透明材料で成型されている。さらに、貫通孔２４５ａは底が抜けているので、万一異物が入っても容易にこれを掃き出すことができる。
【００５２】
図９（Ａ）のようにアダプタ２５４が取り外されている状態では、図４に示す実施例１と同様にして、機器を任意の位置および向きで充電／データ転送ステーション２０４に載置することができる。また、図９（Ａ）の状態では、アダプタ取付／挿入検知部２３８によりアダプタ２５４が取り付けられていないことが検知されるので、固定式ＮＦＣアンテナ／ＩＣ２２８に対する電磁誘導のための給電電流供給が禁止される。
【００５３】
図９（Ｂ）は、充電／データ転送ステーション２０４にアダプタ２５４を取り付けるとともにデジタルカメラ２０２を挿入した状態を示す。このようにアダプタ２５４を充電／データ転送ステーション２０４に取り付けたものはデジタルカメラ２０２専用のクレードル型充電器となる。取り付けのためには、平面ファスナーや嵌め込み構造等、任意の取り付け構造が採用できる。なお、取り付け時の位置決めを容易とするため、取り付け構造が貼り付け方式の場合は、図９（Ｂ）に示すように、充電／データ転送ステーション２０４とアダプタ２５４の前後左右側面は同一形状となっている。従って、両者の前後左右側面が全て面一となるように両者を結合すると、貫通孔２４５ａと固定式ＮＦＣアンテナ／ＩＣ２２８の関係が適切に位置決めされる。取り付けが行われると、充電／データ転送ステーション２０４の上面が貫通孔２４５ａの底となってデジタルカメラ挿入部を形成する。デジタルカメラ２０２の底部にはデジタルカメラＮＦＣアンテナ２２４が配置されているが、デジタルカメラ２０２が貫通孔２４５ａに案内されることで充電／データ転送ステーション２０４の上面に配置された固定式ＮＦＣアンテナ／ＩＣ２２８に対応する位置に導かれる。
【００５４】
図９（Ｂ）の状態になると、アダプタ取付／挿入検知部２３８はまず、アダプタ２５４が充電／データ転送ステーション２０４に取り付けられていることを検知し、電磁誘導のための給電電流を供給する条件とする。さらに、図９（Ｂ）のように貫通孔２４５ａにデジタルカメラ２０２が挿入されると、アダプタ取付／挿入検知部２３８はこれを検知し、電磁誘導のための給電電流を可能とする。
【００５５】
図１０は、実施例３における充電／データ転送ステーション２０４、異種デジタルカメラ２５８および異種デジタルカメラ２５８専用のアダプタ２５５の斜視図である。図１０（Ａ）および図１０（Ｂ）はそれぞれ図９（Ａ）および図９（Ｂ）に対応する。図１０のアダプタ２５５においても、異種デジタルカメラ２５８がちょうど嵌まり込む大きさの貫通孔２５５ａが設けられている。また貫通孔２５５ａの位置は、アダプタ２５５の前後左右側面を基準として決められており、異種デジタルカメラ２５８の底部に配置されたデジタルカメラＮＦＣアンテナ２６０が貫通孔２５５ａに案内されることで充電／データ転送ステーション２０４の上面に配置された固定式ＮＦＣアンテナ／ＩＣ２２８に対応する位置に導かれるようになっている。このように、デジタルカメラ毎に専用のアダプタを設けることで、デジタルカメラにかかわらず、デジタルカメラＮＦＣアンテナを充電／データ転送ステーション２０４の固定式ＮＦＣアンテナ／ＩＣ２２８に対応する位置に導くことができる。
【００５６】
図１１は、実施例３における充電／データ転送ステーション２０４、デジタルカメラ２０２、デジタルカメラ２０２専用のアダプタ２５４およびＩＣカード１０の斜視図である。図１１は、図９（Ｂ）と同様のものであるが、デジタルカメラ２０２を挿入する前の状態を示す。アダプタ２５４はデジタルカメラ２０２専用のものであるから、当然ながら、図１１（Ａ）の状態から図９（Ｂ）の状態にデジタルカメラ２０２を挿入することができる。
【００５７】
これに対し、図１１（Ｂ）は、ＩＣカード１０が誤って通孔２５４ａに挿入されようとしている状態を示す。しかしながら、ＩＣカード１０の幅は、通孔２５４ａの幅よりも広いので挿入ができない。図１１（Ｂ）の状態は、アダプタ２５４が充電／データ転送ステーション２０４が結合されているので、電磁誘導のための給電電流を供給する条件の一つが満たされているが、ＩＣカード１０が挿入できないので、電磁誘導によりＩＣカード１０が破壊されることはない。
【００５８】
なお、デジタルカメラ２０２は比較的幅の狭いものであるが、図１０の異種デジタルカメラ２５８のように幅が広い場合、これに対応してアダプタ２５５の通孔２５５ａの幅も広い。従って、ＩＣカード１０が誤って挿入される可能性がある。しかしながら、万一挿入が可能であっても図１１（Ｂ）からわかるように、ＩＣカード１０はカードＮＦＣアンテナのアンテナコイルの向きが、充電／データ転送ステーション２０４の固定式ＮＦＣアンテナ／ＩＣのアンテナコイルと平行となる状態では挿入できない。このように、充電／データ転送ステーションに結合されるアダプタは、ＩＣカードＮＦＣアンテナのアンテナコイルが充電／データ転送ステーションの固定式ＮＦＣアンテナ／ＩＣのアンテナコイルと平行な状態で近接することを防止し、強い電磁誘導が生じないようにする観点からも有用なものである。
【００５９】
図１２は、上記実施例３におけるパソコン制御部２４８の動作を説明する基本フローチャートである。図６と同様にして、充電／データ転送ステーション２０４に載置される機器に関する充電と通信に関する部分だけを抽出したものである。図１２のフローも、パソコン電源部５２の電源が投入されることによりスタートし、ステップＳ4２で立上処理を行ってステップＳ４4に移行する。
【００６０】
ステップＳ４４では、固定式ＮＦＣアンテナ／ＩＣ２２８の通信圏内に他の機器があるか否かチェックする。該当機器があればステップＳ４６に進み、該当機器とのＮＦＣ通信が確立したか否かチェックする。そして通信が確立すればステップＳ４８に進み、所定のＮＦＣ通信ができたか否かおよびＮＦＣ通信による認証によって短距離通信に進むべき対象機種である旨の認証ができたか否かをチェックし、所定のＮＦＣ通信および上記の認証ができればステップＳ５０に進む。ステップＳ５０では、認証した該当機器との間の短距離通信が確立したか否かチェックし、確立していればステップＳＳ５２に進んで所定の短距離通信を開始する処理を行ってステップＳ５４に移行する。
【００６１】
一方、ステップＳ４６において該当機器とのＮＦＣ通信の確立ができないとき、またはステップＳ４８において所定のＮＦＣ通信およびＮＦＣ通信による該当機器の認証ができないとき、またはステップＳ５０において認証した該当機器との間の短距離通信の確立が確認できないときは、いずれも、直ちにステップＳ５４に移行する。なお、ステップＳ５０から直接ステップＳ５４に移行した場合は、所定のＮＦＣ通信またはＮＦＣ通信機器としての認証は行われている。
【００６２】
ステップＳ５４では、アダプタ取付／挿入検知部２３８の検知信号に基づきアダプタが充電／データ転送ステーション２０４に取り付けられているか否かチェックする。アダプタが取り付けられていればステップＳ５６に進み、機器がアダプタの貫通孔に挿入されているか否かチェックする。そしてアダプタ取付／挿入検知部２３８の検知信号に基づき機器の挿入が検知されるとステップＳ５８に進み、充電制御部３４から固定式ＮＦＣアンテナ／ＩＣ２２８に電磁誘導のための給電電流を供給開始する処理を行ってステップＳ６０に移行する。
【００６３】
ステップＳ６０では、充電が完了したか否かチェックし、充電するまでステップＳ６０を繰り返す。ステップＳ６０で充電完了が確認されるとステップＳ６２に移行する。なお、ステップＳ５４でアダプタの取り付けが検知されないとき、またはステップＳ５６で機器がアダプタの貫通孔に挿入されていることが確認されないときは直ちにステップＳ６２に移行する。これによって、アダプタの取り付けおよび機器のアダプタ挿入がともに確認されない限り、電磁誘導のための給電電流供給が禁止される。
【００６４】
ステップＳ６２では、ＮＦＣ通信または短距離通信による通信中か否かチェックし、通信中である限りステップＳ６２を繰り返す。ステップＳ６２で通信中でないことが確認されるとステップＳ６４に移行する。なお、ステップＳ４４でＮＦＣ圏内に機器がないとき（すなわち、機器がアダプタに挿入されていないとき、またはアダプタを取り付けない充電／データ転送ステーション２０４に機器が載置されていないとき）は、直ちにステップＳ６４に移行する。ステップＳ６４では、パソコン６に電源が供給中であるか否かチェックする。電源供給中であれば、ステップＳ４４に戻り、以下ステップＳ６４で電源供給がなくなることが確認されない限り、ステップＳ４４からステップＳ６４を繰り返し、アダプタの新たな取り付け、機器の新たなアダプタへの挿入、またはアダプタを取り付けない機器が充電／データ転送ステーション２０４への機器の載置に対応すべく待機する。一方、ステップＳ６４で電源供給がなくなることが確認されるとフローを終了する。
【実施例４】
【００６５】
図１３は、本発明の実施の形態に係る充電システムにおける実施例４の充電／データ転送ステーション３０４、デジタルカメラ３０２およびデジタルカメラ３０２専用のアダプタ３５４の斜視図である。図１３（Ａ）は、充電／データ転送ステーション３０４からアダプタ３５４が取り外されている状態を示し、図１３（Ｂ）は、充電／データ転送ステーション３０４にアダプタ３５４を取り付けるとともにデジタルカメラ３０２を挿入した状態を示す。
【００６６】
図面から明らかなように、図１３の実施例４も、図９の実施例３と同様アダプタを有するものである。しかしながら、図９の実施例３においてアダプタがデジタルカメラ挿入部の前後左右の側面をなし充電／データ転送ステーションがデジタルカメラ挿入部の底面を成していたのに対し、図１３の実施例４では、充電／データ転送ステーション３０４がデジタルカメラ挿入部の一側面をなし、アダプタ３５４の切り欠き孔３５４ａがデジタルカメラ挿入部の他の側面および底面を成す。また図９の実施例３においてはデジタルカメラＮＦＣアンテナ２２４が挿入方向底面に設けられていたのに対し、図１３の実施例４では、デジタルカメラＮＦＣアンテナ３２４がデジタルカメラの正面（または背面）に設けられている。
【００６７】
その他の点においては、図１３の実施例４は図９の実施例３と同様である。そして、異種のデジタルカメラ毎に専用のアダプタを交換可能にそれぞれ用意し、このアダプタによって、いずれのデジタルカメラでも、そのデジタルカメラＮＦＣアンテナ３２４等が常に固定式ＮＦＣアンテナ／ＩＣ３２８に対応する位置に来るよう誘導されることも同様である。また、アダプタ３５４が透明であり、挿入部に電磁誘導を妨げる異物が入っていないか確認できること、さらに、万一異物が入っても容易にこれを掃き出すことができることについても同様である。但し、図１３の実施例４の場合は、一つの側面を欠く切り欠き孔３５４ａが形成されている。
【００６８】
なお、図１３の実施例４では、挿入方向の底面の幅が広い場合、切り欠き孔３５４ａの幅も広くなるので、ＩＣカードが誤って挿入される可能性が生じる。そして実施例４においてＩＣカードが誤挿入された場合、ＩＣカードＮＦＣアンテナのアンテナコイルと充電／データ転送ステーションの固定式ＮＦＣアンテナ／ＩＣのアンテナコイルが平行な状態で近接する可能性も生じる。
【００６９】
図１４は、このようなＩＣカード幅よりも広い切り欠き孔３５４ａを有するアダプタに関する側断面図であり、誤挿入の際にＩＣカードＮＦＣアンテナのアンテナコイルと充電／データ転送ステーションの固定式ＮＦＣアンテナ／ＩＣのアンテナコイルが平行な状態で近接するのを防止する構造を示す。図１３と同じ部分には同じ番号を付して説明を省略する。図１４から明らかなように、ＩＣカード１０がご挿入される可能性のあるアダプタ３５４の場合、切り欠き孔３５４ａの底面が傾斜させられる。
【００７０】
図１４（Ａ）は正規のデジタルカメラ３０２が挿入された場合であり、デジタルカメラＮＦＣアンテナ３２４が固定式ＮＦＣアンテナ／ＩＣ３２８に対応する位置に近接して誘導される。正規のデジタルカメラ３０２が挿入された場合、その厚みは切り欠き孔３５４ａに一致しているので、切り欠き孔３５４ａの底面が傾斜していても、所定位置より下方に入り込むことはない。これに対し、図１４（Ｂ）は、ＩＣカード１０がご挿入された場合を示す。ＩＣカード１０は薄いので、切り欠き孔３５４ａの底面の傾斜に沿って下方に滑り、ＩＣカードＮＦＣアンテナ４６が充電／データ転送ステーションの固定式ＮＦＣアンテナ／ＩＣ３２８から離間させられるとともに、アンテナコイルの平行性も崩れている。これにより強い電磁誘導が生じるのが防止される。
【実施例５】
【００７１】
図１５は、本発明の実施の形態に係る充電システムにおける実施例５の充電／データ転送ステーション４０４、デジタルカメラ４０２、デジタルカメラ４０２専用のアダプタ４５４およびＩＣカード１０の斜視図である。図１５（Ａ）は、充電／データ転送ステーション４０４からアダプタ４５４が取り外されている状態を示し、図１５（Ｂ）は、充電／データ転送ステーション４０４にアダプタ４５４を取り付けるとともにデジタルカメラ４０２を挿入した状態を示す。また、図１５（Ｃ）は、誤挿入の可能性のあるＩＣカードである。
【００７２】
図面から明らかなように、図１５の実施例５も、図１３の実施例４と同様切り欠き孔４５４ａを有するアダプタ４５４を有するものである。しかしながら、図１３の実施例４においてはデジタルカメラＮＦＣアンテナ３２４がデジタルカメラの正面（または背面）に設けられていたのに対し、図１５の実施例５では、デジタルカメラＮＦＣアンテナ４２４がデジタルカメラ５０２の挿入方向側面に設けられている。また、アダプタ４５４は充電／データ転送ステーション４０４の幅より狭いので切り欠き孔４５４ａの位置の基準となる基準マーク４３９が設けられており、図１５（Ｂ）に明らかなように、アダプタ４５４は基準マーク４３９に合わせて取り付けられる。
【００７３】
その他の点においては、図１５の実施例５は図１３の実施例４と同様である。そして、異種のデジタルカメラ毎に専用のアダプタを交換可能にそれぞれ用意し、このアダプタを基準マーク４３９に合わせて充電／データ転送ステーション４０４に取り付けることによって、いずれのデジタルカメラでも、そのデジタルカメラＮＦＣアンテナ４２４等が常に固定式ＮＦＣアンテナ／ＩＣ４２８に対応する位置に来るよう誘導されることも同様である。また、アダプタ４５４が透明であり、挿入部に電磁誘導を妨げる異物が入っていないか確認できること、さらに、万一異物が入っても容易にこれを取り除くことができることについても同様である。
【００７４】
なお、図１５の実施例５では、デジタルカメラＮＦＣアンテナ４２４がデジタルカメラの挿入方向側面に設けられているため、万一図１５（Ｃ）のようなＩＣカードがデジタルカメラ４０２と同じ方向で挿入されたとしても、ＩＣカード１０のカードＮＦＣアンテナのアンテナコイルの向きが、充電／データ転送ステーション４０４の固定式ＮＦＣアンテナ／ＩＣ４２８のアンテナコイルと平行とはならず、強い電磁誘導が生じない。
【００７５】
以上説明した本発明の種々の特徴は、上記の実施例による実施に限るものではなく、他の実施形態が可能である。また、その利点を活用するため、適宜組み合わせ交換することができる。例えば、図２に示した実施例１のストッパー５４の位置決め機能は、ストッパー５４を設けず、充電面４ａの左上角部にデジタルカメラ２の底面の左上角部を一致させ両者の側面が面一になるよう載置することでも代替できる。
【００７６】
また、図９の実施例３では充電／データ転送ステーション２０４とアダプタ２５４の前後左右側面を同一形状とし、両者の前後左右側面が全て面一となるように両者を結合することで両者の位置決めを行っている。これに代えて、充電／データ転送ステーション２０４にアダプタ２５４を箱の蓋のように被せて嵌め込む構造とし、アダプタ２５４の下面に設けた凹部の形状が充電／データ転送ステーション２０４の上面と同一形状とすることで両者の位置決めを行うこともできる。
【産業上の利用可能性】
【００７７】
本発明は、ＮＦＣによる充電システム、モバイル機器、充電器に適用することができる。
【符号の説明】
【００７８】
２４、６０、２６０、２２４、３２４、４２４  第１ＮＦＣアンテナ
２０  充電池
２、５８、２０２、２５８、３０２、４０２  モバイル機器
２８、２２８、３２８、４２８  第２ＮＦＣアンテナ
４、１０４、２０４、３０４、４０４  充電器
３８、４８、１４８、２５４、２５５、３５４、４５４  防護手段
【図１】
2016226230.tif 000003
【図２】
2016226230.tif 000004
【図４】
2016226230.tif 000005
【図５】
2016226230.tif 000006
【図７】
2016226230.tif 000007
【図８】
2016226230.tif 000008
【図１２】
2016226230.tif 000009
【図１４】
2016226230.tif 000010
【図３】
2016226230.tif 000011
【図６】
2016226230.tif 000012
【図９】
2016226230.tif 000013
【図１０】
2016226230.tif 000014
【図１１】
2016226230.tif 000015
【図１３】
2016226230.tif 000016
【図１５】
2016226230.tif 000017